(57)【要約】【課題】樋管内から地中に遮水壁用のセグメントを直接容易に打ち込むことを課題とする。【解決手段】敷設された樋管２周囲に径方向に張り出され、かつ周方向に円板状に接続される遮水壁３を構成する部材であって、円板状体を周方向に複数に分割した扇状とされ、それぞれの扇状分割片１０は隣接した辺がそれぞれ接続可能であると共に外周縁１３の輪郭が尖らされ、あるいは断面形状がナイフエッジ１４状に尖らされてなる。【選択図】  図１
2004278244.tif 000002
【特許請求の範囲】
【請求項１】
敷設された樋管周囲に径方向に張り出され、かつ周方向に円板状に接続される遮水壁を構成する部材であって、前記円板状体を周方向に複数に分割した分割片とされ、それぞれの分割片は隣接した辺がそれぞれ接続可能であると共に外周縁の輪郭が外径方向へ尖らされてなることを特徴とする樋管の遮水壁構成部材。
【請求項２】
敷設された樋管周囲に径方向に張り出され、かつ周方向に円板状に接続される遮水壁を構成する部材であって、前記円板状体を周方向に複数に分割した分割片とされ、それぞれの分割片は隣接した辺がそれぞれ接続可能であると共に外周縁の断面形状がナイフエッジ状に尖らされてなることを特徴とする樋管の遮水壁構成部材。
【請求項３】
請求項１又は２の樋管の遮水壁構成部材において、分割片の接続辺に設けられる接続部の構造が、一方が受容体、他方が前記受容体に受容される挿入体の組み合わせとされ、受容体内には、土中への打ち込み時に土砂侵入防止用の充填材が除去可能に充填されていることを特徴とする樋管の遮水壁構成部材。
【発明の詳細な説明】
【０００１】
【発明の属する技術分野】
この発明は、堤防等に埋設される樋管であって遮水壁の取付けられる遮水壁取付け用樋管に関する。
【０００２】
【従来の技術】
河川の堤防には、増水時の溢水や堤防の決壊を防止するため、増水を別の河川や排水処理場へ排水する樋管を堤防の基礎部に設ける場合がある。
【０００３】
ところで図１２に示すように、堤防１に樋管２を貫通した場合、樋管２に沿って水みちＷが出来易く、増水時に河川の水が浸透する恐れがある。そこで、樋管２に沿った水の浸透を防ぐため、鍔状の遮水壁３を設ける場合がある。
【０００４】
この遮水壁３を樋管２に形成する場合、従来では図１３に示したように、遮水壁３（図１２）を構築すべき地盤の中に地盤を硬化させる薬液ｇを注入し、地盤が硬化すれば樋管２の中央部に設けられていたリング状の円筒状カバー４を分解して取り外し、遮水壁３を設けるべき部分を管内から掘削し、図１４に示すように出来た空洞部５に管内より遮水壁３用の分割片３ｓ…を差込み、図１５に示すように樋管２を中心とした鍔状をなすように組み立て、次いで樋管２内を空洞部５から密閉し、最後に空間部５にグラウト（図示せず）を注入して遮水壁を構築することが行われていた。（特許文献１）
しかし、上記工法で地盤を硬化させる薬液を注入しても、地下水脈の位置や地盤の強弱などに起因して、薬液注入にも係わらず地盤改良の効果が発揮されていないことが往々にしてあり、樋管２のリング状の円筒状カバー４を除去後、遮水壁３を設けるべき部分を管内から掘削したときに初めてこのような不具合が発見されるといった問題があった。
【０００５】
そこで、このようなこのような掘削された空洞中に遮水壁を構築する場合に生じる問題を解決するため、樋管を推進工法で敷設した後、直接地盤に分割片を直接打ち込む、あるいは薬剤で改良された地盤に分割片を直接打ち込むことが考えられている。
【０００６】
【特許文献１】
特開平１１−１０７２４０号公報
【０００７】
【発明が解決しようとする課題】
しかし、このように分割片を直接打ち込むと、地盤との摩擦が大きく狭い管内にもかかわらず強大な打ち込み力を要すると共に、土中での不均等な摩擦抵抗により分割片が真っ直ぐに打ち込まれ難い問題があった。
【０００８】
また、受容体と挿入体とからなる分割片の接合部の受容体中に、分割片打ち込み時土砂が入り込み、挿入体の接続挿入が困難となる問題もある。
この発明は、上記問題を解消し、樋管内から直接地中に遮水壁用の分割片を容易に打ち込むことを課題としてなされたものである。
【０００９】
【課題を解決するための手段】
上記問題を解消するため、請求項１の発明は、敷設された樋管周囲に径方向に張り出され、かつ周方向に円板状に接続される遮水壁を構成する部材であって、前記円板状体を周方向に複数に分割した分割片とされ、それぞれの分割片は隣接した辺がそれぞれ接続可能であると共に外周縁の輪郭が外径方向へ尖らされてなることを特徴とするものである。
【００１０】
すなわち、管内から扇状分割片を突き出す際、外周縁の輪郭が外径方向へ尖らされているので、地盤に打ち込んでも少ない力で突き刺さっていき、また地盤との摩擦抵抗があっても真っ直ぐに突き刺さっていき易くなり工事が簡単に実施できるようになるのである。
【００１１】
請求項２の発明は、敷設された樋管周囲に径方向に張り出され、かつ周方向に円板状に接続される遮水壁を構成する部材であって、前記円板状体を周方向に複数に分割した分割片とされ、それぞれの分割片は隣接した辺がそれぞれ接続可能であると共に外周縁の断面形状がナイフエッジ状に尖らされてなることを特徴とするものである。
【００１２】
すなわち、管内から扇状分割片を突き出す際、先端がナイフエッジ状に尖らされているので、地盤に打ち込んでも少ない力で突き刺さっていき、また地盤との摩擦抵抗があっても真っ直ぐに突き刺さっていき易くなり工事が簡単に実施できるようになるのである。
【００１３】
請求項３の発明は、請求項１又は２の樋管の遮水壁構成部材において、分割片の接続部の構造が、一方が受容体、他方が前記受容体に受容される挿入体とされ、前記受容体内には、土中への打ち込み時に土砂侵入防止用の充填材が除去可能に充填されていることを特徴とするものである。
【００１４】
土中へ分割片を打ち込んでも受容体中には充填材が予め充填されているので土砂が侵入することがなく、また充填材は、除去可能に充填されているので、次の分割片を打ち込む時に除去すれば土砂充填に左右されること無く、分割片を接続しながら打ち込んで行くことが可能となるのである。
【００１５】
【発明の実施の形態】
次に、この発明の実施の形態を説明する。
図１はこの発明の実施の形態の樋管の遮水壁構成部材の正面図、図２〜図５図１に示す樋管の遮水壁構成部材の側面図、平面図、底面図、図６は同じく斜視図である。
【００１６】
図１〜図６において樋管の遮水壁構成部材は、推進工法により敷設された樋管２から径方向に張り出され、かつ周方向に複数枚接続されて最終的には円板状の遮水壁３（図８）を形成する分割片１０をなしている。
【００１７】
そして、分割片１０は隣接した辺が図４に示すように、一方は断面がＣ字状とされた受容部１１、他方が受容部１１の断面形状に対して軸方向に挿入できる断面形状の柱部１２とされた、互いに接合可能な接合部とされ、さらに、地盤に向けて打ち込まれていく外周縁１３の輪郭形状が図１に示すように外径方向へ向けて尖らされ、地中へと打ち込みやすい輪郭形状とされている。なお、この尖った形状の輪郭は接合部１１、１２も一連に続く輪郭形状とされている。
【００１８】
図中１５は遮蔽板を示し、分割片１０を樋管２（図１１、図１２）内に取り付けるための基板となるものである。
なお、分割片１０の輪郭形状は主として扇状とされているが図８に示すように最後に挿入接続される分割片１０ａ、１０ａのみは両辺が平行となるようにされている。
【００１９】
また、外周縁１３の形状は、図示のように山形に尖らせるほか、図９に示すように谷状としても良い。
また、分割片１０の外周縁１３の断面形状を図７に示すようにナイフエッジ１４としても良い。この場合、分割片１０はさらに地中へと打ち込み易くなる。
【００２０】
次に、この発明の樋管の遮水壁構成部材の使用方法について説明する。
まず、樋管２を図１２に示したように敷設すれば、遮水壁を設ける樋管２に図１０に示したように予め設けられたカバー４を取り外し、その取り外した部分の開口部分だけに図５に示すように直ちに分割片１０を樋管２の管内より管外の地盤へと打ち込む。
【００２１】
このとき、分割片１０の先端１３は外周が尖らされあるいはナイフエッジ１４とされているので、打ち込みはスムーズに行え、かつ容易に真っ直ぐに打ち込まれていく。
【００２２】
なお、この打ち込みに先立ち、管内より掘削機械（図示せず）を突き出し、遮水壁構成部材１０を突き出す部分を掘削後直ちにゲル状の充填材を圧入して、除去された土砂と置換し、地盤を完全に硬化させることなく遮水壁構成部材１０を径方向外側へと打ち込むようにしても良い。
【００２３】
そして、これを図８に示すように円周方向へ順次接続しつつ打ち込み、最後に両辺が平行な分割片１０ａ、１０ａを打ち込んで遮水壁を完成させ、各遮水壁分割片１０の根元の遮蔽板１５…を樋管２の内面に水密に接続止着する。なお、図８において各分割片１０…に付した丸付き数字は、遮水壁を接続して組み立てていく順番を示したものである。
【００２４】
上記実施の形態において、分割片１０を地中に打ち込んで行く際、断面がＣ字状とされた受容部１２に土砂が侵入しないように、図１１に示すように受容部１２の内部の空洞部にゴムないしはスポンジなどから形成してなる除去可能な充填材１６を充填しておいても良い。
【００２５】
この場合、分割片１６を地中に打ち込んだ後、充填材１６を管内へと引き抜いて除去し、そこに新たな分割片１０の柱部１３を挿入して接続して行く。
このように構成した場合、分割片１０の受容部１１に土砂類が入り込まないので、次の分割片の接続打ち込みが迅速に可能となり、施工が行い易くなる。
【００２６】
この発明によれば、地盤を硬化させる薬液などを用いることなく、直ちに遮水壁構成部材を強制的に打ち込んでいき、遮水壁を完成させてしまうので、軟弱地盤や地下水脈などがあってもそれらに影響されることなく遮水壁を形成することができる。
【００２７】
【発明の効果】
この発明は以上説明したように、堤防に樋管を配設した後、地盤を硬化させる薬液などを使用することなく、直接管内から遮水壁構成部材を径方向へ突き出して取り付けていく場合、打ち込み側の先端を尖らせ、あるいはナイフエッジ状に尖らせているので抵抗が少なく、しかも真っ直ぐに打ち込みやすく、施工が非常に容易となる効果を有する。
【００２８】
また、接合部の受容部に予め除去可能な充填材を充填しておけば、分割片を土中に打ち込んだときに土砂が入りこまないので、次の分割片の接合が迅速に行える効果を有する。
【図面の簡単な説明】
【図１】樋管用遮水壁の分割片の正面図である。
【図２】樋管用遮水壁の分割片の右側面図である。
【図３】樋管用遮水壁の分割片の左側面図である。
【図４】樋管用遮水壁の分割片の平面図である。
【図５】樋管用遮水壁の分割片の底面図である。
【図６】樋管用遮水壁の分割片の斜視図である。
【図７】比較用遮水壁の分割片の先端部分の他の構成例を示す要部断面図である。
【図８】樋管用遮水壁の分割片の組立て状態を示す正面図である。
【図９】樋管用遮水壁の分割片の他の構成例を示す正面図である。
【図１０】樋管用遮水壁の構築方法を示す断面図である。
【図１１】樋管用遮水壁の分割片の他の構成例の要部破断断面図である。
【図１２】従来の樋管の説明図である。
【図１３】推進樋管の遮水壁取付け部分の説明図である。
【図１４】推進樋管の遮水壁取付け部分の説明図である。
【図１５】従来の推進樋管用遮水壁の構造説明図である。
【符号の説明】
１  堤防
２  樋管
３  遮水壁
１０  分割片
１１  接合部
１２  接合部
１３  外周縁
１４  ナイフエッジ
１５  遮蔽板
【図１】
2004278244.tif 000003
【図２】
2004278244.tif 000004
【図３】
2004278244.tif 000005
【図４】
2004278244.tif 000006
【図５】
2004278244.tif 000007
【図６】
2004278244.tif 000008
【図７】
2004278244.tif 000009
【図８】
2004278244.tif 000010
【図９】
2004278244.tif 000011
【図１０】
2004278244.tif 000012
【図１１】
2004278244.tif 000013
【図１２】
2004278244.tif 000014
【図１３】
2004278244.tif 000015
【図１４】
2004278244.tif 000016
【図１５】
2004278244.tif 000017